(57)【要約】【課題】比較的簡易な構成で、遠隔操作で位置決めするために組み込んだモーターユニットに故障の原因となる負荷が掛かるのを阻止する。【解決手段】本体部２９のギア４７と、支持部３のウオームホイル１５が滑り可能に重ね合わされている。載置プレート４３の下側に回転可能にギア４７が取付けられており、モーター駆動ユニットのピニオン５５が噛合する。モーター駆動ユニットは載置プレート４３側に固定される。手動により、本体部ケース３１を回転させると、ギア４７がウオームホイル１５上を滑動しながら一体に回転する。ウオームホイル１５を回転させると、ギア４７が連れ回転する。モーター駆動すると、ギア４７に対してその上側の載置プレート４３が回転する。【選択図】  図２
2019144235.tif 000002
【特許請求の範囲】
【請求項１】
支持部と、前記支持部の上側で前記支持部に対して回転可能に載置される本体部で構成され、レーザー照射機能を備えたレーザー墨出し器であって、
前記支持部は、支持部ケースと、前記支持部ケースに収容されたウオームホイルと、前記ウオームホイルを回転させるウオームを含む手動ユニットを備え、
前記本体部は、本体部ケースと、前記本体部ケースに固定された載置プレートと、前記載置プレートに載せられて収容されたレーザー照射器と、前記載置プレートの下側に回転可能に取付けられたギアと、前記載置プレートに対して固定され前記ギアと噛合するピニオンを含むモーター駆動ユニットを備え、
前記ウオームホイルの上に前記ギアが滑り可能に重ね合わされており、
手動により、前記本体部ケースを回転させると、前記載置プレートと共に前記ギアが前記ウオームホイル上を滑動しながら回転し、前記支持部のウオームホイルを回転させると、前記載置プレートと共に前記ギアが連れ回転し、
モーター駆動により、前記ギアに対して公転する前記ピニオンに連れて前記載置プレートが回転することを特徴とするレーザー墨出し器。
【請求項２】
請求項１に記載したレーザー墨出し器において、
ギアとウオームホイルの重ね合わせ面にはグリスが塗布されていることを特徴とするレーザー墨出し器。
【請求項３】
請求項１または２に記載したレーザー墨出し器において、
載置プレートに対して固定されたモーター駆動ユニットの下方に延びた出力軸に連結されたピニオンがギアに噛合していることを特徴とするレーザー墨出し器。
【請求項４】
請求項１から３のいずれかに記載したレーザー墨出し器において、
本体部にモーター駆動ユニットを遠隔操作する遠隔操作部が収容されていることを特徴とするレーザー墨出し器。
【請求項５】
請求項１から４のいずれかに記載したレーザー墨出し器において、
本体部ケースにバッテリーが着脱自在に装着されることを特徴とするレーザー墨出し器。
【発明の詳細な説明】
【技術分野】
【０００１】
本発明は、土木、建築工事等に用いられるレーザー墨出し器に関するものである。
【背景技術】
【０００２】
レーザー墨出し器は、地面や床面に設置される支持部と、支持部の上に回転可能に載せられる本体部で構成され、本体部からレーザー照射されるようになっている。作業者は、墨出し作業の前に、手動で、本体部全体を回転させて大まかに位置合わせをした後に、更に微調整を加えて正確な位置合わせをする。
而して、レーザー墨出し器と受光器との距離が長くなるほど、正確な位置合わせは難しく、特に、レーザーラインが縦ラインを形成するように出力されるような場合の墨出し作業では作業者の負担が大きい。
それに対応して、特許文献１のように、遠隔操作により位置合わせできるようにしたものが提案されている。
【先行技術文献】
【特許文献】
【０００３】
【特許文献１】特開２００６−２１５０１９号公報
【発明の概要】
【発明が解決しようとする課題】
【０００４】
しかしながら、この特許文献１では、自動回転リングのモーターユニットの接続線が手動回転リングを貫通して基板に接続されている。そのため、自動回転リングや手動回転リングが大きく回転する場合や互いに逆方向に回転する場合には、接続線に負担が掛かり、断線し易い。
本発明は上記従来の問題点に着目して為されたものであり、比較的簡易な構成で、モーターユニットに故障の原因となる負荷が掛かるのを阻止できるレーザー墨出し器の提供を、その目的とする。
【課題を解決するための手段】
【０００５】
本発明は上記課題を解決するためになされたものであり、請求項１の発明は、支持部と、前記支持部の上側で前記支持部に対して回転可能に載置される本体部で構成され、レーザー照射機能を備えたレーザー墨出し器であって、前記支持部は、支持部ケースと、前記支持部ケースに収容されたウオームホイルと、前記ウオームホイルを回転させるウオームを含む手動ユニットを備え、前記本体部は、本体部ケースと、前記本体部ケースに固定された載置プレートと、前記載置プレートに載せられて収容されたレーザー照射器と、前記載置プレートの下側に回転可能に取付けられたギアと、前記載置プレートに対して固定され前記ギアと噛合するピニオンを含むモーター駆動ユニットを備え、前記ウオームホイルの上に前記ギアが滑り可能に重ね合わされており、手動により、前記本体部ケースを回転させると、前記載置プレートと共に前記ギアが前記ウオームホイル上を滑動しながら回転し、前記支持部のウオームホイルを回転させると、前記載置プレートと共に前記ギアが連れ回転し、モーター駆動により、前記ギアに対して公転する前記ピニオンに連れて前記載置プレートが回転することを特徴とするレーザー墨出し器である。
【０００６】
請求項２の発明は、請求項１に記載したレーザー墨出し器において、ギアとウオームホイルの重ね合わせ面にはグリスが塗布されていることを特徴とするレーザー墨出し器である。
【０００７】
請求項３の発明は、請求項１または２に記載したレーザー墨出し器において、載置プレートに対して固定されたモーター駆動ユニットの下方に延びた出力軸に連結されたピニオンがギアに噛合していることを特徴とするレーザー墨出し器である。
【０００８】
請求項４の発明は、請求項１から３のいずれかに記載したレーザー墨出し器において、本体部にモーター駆動ユニットを遠隔操作する遠隔操作部が収容されていることを特徴とするレーザー墨出し器である。
【０００９】
請求項５の発明は、請求項１から４のいずれかに記載したレーザー墨出し器において、本体部ケースにバッテリーが着脱自在に装着されることを特徴とするレーザー墨出し器である。
【発明の効果】
【００１０】
本発明のレーザー墨出し器では、比較的簡易な構成で、モーターユニットに故障の原因となる負荷が掛かるのが阻止されている。
【図面の簡単な説明】
【００１１】
【図１】本発明の実施の形態に係るレーザー墨出し器の斜視図である。
【図２】図１のレーザー墨出し器を支持部と本体部に分離した状態を示す斜視図である。
【図３】図２の支持部の上面図である。
【図４】図２の本体部を下面から示す斜視図である。
【図５】図４の本体部の下面図である。
【図６】図２の支持部と本体部で構成される回転機構の説明図である。
【図７】図２の支持部と本体部で構成される回転機構の説明図である。
【発明を実施するための形態】
【００１２】
本発明の実施の形態に係るレーザー墨出し器１を図面にしたがって説明する。
このレーザー墨出し器１は、図１に示すように、支持部３と本体部２９で構成されている。
図２、図３に示すように、支持部３の支持部ケース５は、円板状の底部７と、底部７の縁部から立ち上がった環状の側部９とで構成されており、上方が開口している。支持部ケース５の底部７から外方に延長した部分には三脚１１が設けられている。
支持部ケース５の中は収容空間になっており、そこに備えられたロッド１３にウオームホイル１５が回転可能に外嵌され支持されている。ウオームホイル１５は板面が上下方向を向いており、上側の板面、すなわち上面１７が露出している。上面１７には、滑りを良くするために、グリス（図示省略）が塗布されている。ロッド１３の内面にはオプション品のスタンド固定用にネジ１９が形成されている。
【００１３】
ウオームホイル１５は、手動ユニットによる手動操作を受けて回転するよう構成されている。
手動ユニットの回転軸２１が、側部９の二個所を回転可能に貫通して、その両端側がそれぞれ外方に突出している。両側の突出部分がツマミ２３になっており、支持部ケース５の中に配置された中間部がウオーム２５になっている。このウオーム２５がウオームホイル１５と噛合状態で配置されている。
回転軸２１と側部９との間にはバネ２７が架設されており、このバネ２７により、ウオーム２５がウオームホイル１５の噛合方向に付勢されている。
【００１４】
図２、図４、図５に示すように、本体部２９の本体部ケース３１は、円板状の天部３３と、天部３３の縁部から下りた環状の側部３５とで構成されており、下方が開口している。側部３５の四か所には、レーザー光を外部に照射するための照射口３７、３７、……が設けられている。側部３５には、持ち運び用にストラップ３９が取付けられている。また、側部３５にはバッテリー４１も着脱自在に装着される。
本体部ケース３１は支持部ケース５に対して回転可能に載せられる。
【００１５】
本体部ケース３１の中は収容空間になっており、下端開口が載置プレート４３で閉じられている。載置プレート４３の下側にギア取付部４５が設けられている。このギア取付部４５にギア４７が相対的に回転可能に取付けられている。このギア４７は板面が上下方向を向いており、下側の板面、すなわち下面４９が露出している。下面４９には、滑りを良くするために、グリス（図示省略）が塗布されている。
【００１６】
ギア４７は、モーター駆動ユニットによる自動操作を受けて回転するよう構成されている。ギア４７はステッピングモーターになっている。
モーター駆動ユニットのモーター本体５１は、ギア取付部４５の外面に一体化されており、その出力軸５３は下方に延びている。出力軸５３にはピニオン５５が連結されており、このピニオン５５がギア４７と噛合するよう配置されている。
従って、モーター駆動ユニットが駆動すると、ピニオン５５が自転しながら、ギア４７の周囲を公転する。ピニオン５５にはギア取付部４５を介して載置プレート４３が固定されているので、ピニオン５５の公転により、載置プレート４３は回転する。
【００１７】
本体部ケース３１には、レーザー照射器５７と、このレーザー照射器５７を制御するレーザー制御部やモーター駆動ユニットを遠隔操作する遠隔操作部が基板化されて収容されている。
載置プレート４３からは一対の支柱５９、５９が立ち上がっており、この支柱５９、５９の上端部で架け渡された吊下げ部６１に、レーザー照射器５７が吊下げられている。
【００１８】
バッテリー４１は、レーザー照射器５７等の給電用に利用される。
モーター駆動ユニットは、ギア４７とウオームホイル１５の重ね合わせ側には干渉していないので、ギア４７やウオームホイル１５がどのように回転しても負荷が掛からない。
【００１９】
墨出し作業の前には、ギア４７の下面４９にウオームホイル１５の上面１７がグリスの介在により滑り可能に同軸状に重ね合わされた状態で、支持部ケース５の上側に本体部ケース３１が回転可能に載置されて、レーザー墨出し器１が使用可能状態となる。
このレーザー墨出し器１の位置合わせについて、図６、図７にしたがって説明する。
【００２０】
本体部ケース３１を手動により回転させるときには、本体部ケース３１に固定された載置プレート４３に対して、ギア４７は相対回転不能になっているので、一体に回転しようとする。ギア４７の下面４９は、ウオームホイル１５の上面１７と滑り可能に重ね合わされているので、その回転しようとする力は阻害されず、ギア４７は静止したウオームホイル１５の上面１７を滑動しながら回転する。
従って、本体部ケース３１を回転させると、本体部ケース３１、レーザー照射器５７、載置プレート４３と共に、ギア４７が、支持部ケース５内のウオームホイル１５に対して回転する。この手動操作により、大まかに位置合わせされる。
【００２１】
ツマミ２３を手動により回転させるときには、ウオーム２５とウオームホイル１５が噛合するので、ウオームホイル１５が回転する。このとき、ウオームホイル１５の上面１７にはギア４７の下面４９が重ね合わされ、ギア４７の自重による摩擦力が作用するので、ギア４７が連れ回転する。
従って、ツマミ２３を回転させると、支持部ケース５内のウオームホイル１５と共に、本体部ケース３１、レーザー照射器５７、載置プレート４３、ギア４７が回転する。この手動操作により、微調整される。
【００２２】
遠隔操作により、自動で位置合わせをする場合には、携帯端末６３（図１）が利用される。この携帯端末６３を目標とする位置に配置してレーザー照射させる。携帯端末６３はレーザーラインを検知すると、遠隔操作部に送信して、モーターを駆動するようになっている。
【００２３】
モーターを駆動させると、出力軸５３が回転し、ピニオン５５とギア４７との噛合により、ピニオン５５の連結側である載置プレート４３がギア４７に対して回転しようとする。ギア取付部４５に対してギア４７は互いに回転可能な状態で取付けられており、ギア取付部４５の回転しようとする力は阻害されない。
従って、モーターを駆動させると、本体部ケース３１、レーザー照射器５７、載置プレート４３が回転する。
このように遠隔操作による、自動の位置合わせも可能となっている。
【００２４】
以上、本発明の実施の形態について詳述してきたが、具体的構成は、この実施の形態に限られるものではなく、本発明の要旨を逸脱しない範囲における設計の変更などがあっても発明に含まれる。
例えば、遠隔操作部では、電波方式や赤外線方式等種々の方式で信号を受信できるように構成できる。
【符号の説明】
【００２５】
１…レーザー墨出し器  ３…支持部      ５…支持部ケース      ７…底部
９…側部            １１…三脚      １３…ロッド          １５…ウオームホイル
１７…上面            １９…ネジ      ２１…回転軸          ２３…ツマミ
２５…ウオーム        ２７…バネ      ２９…本体部          ３１…本体部ケース
３３…天部            ３５…側部      ３７…レーザー照射口  ３９…ストラップ
４１…バッテリー      ４３…載置プレート                    ４５…ギア取付部
４７…ギア            ４９…下面      ５１…モーター本体    ５３…出力軸
５５…ピニオン        ５７…レーザー照射器                  ５９…支柱
６１…吊下げ部        ６３…携帯端末
【図１】
2019144235.tif 000003
【図２】
2019144235.tif 000004
【図３】
2019144235.tif 000005
【図４】
2019144235.tif 000006
【図５】
2019144235.tif 000007
【図６】
2019144235.tif 000008
【図７】
2019144235.tif 000009